(57)【要約】【課題】本考案は現在使われている家庭用の浴槽内の風呂水の浄化と水温の低下を防ぎ快適な入浴を実現することを目的とする【解決手段】制御盤１４のスイッチを入れると小型ポンプ３により給水口１から汲み上げられた風呂水は浄化装置２のフイルター１６を通過することで固形物が取り除かれ浄化される  浄化された風呂水は小型ポンプ３を通り排出口５から恒温タンク７内に入る恒温タンクに送られた風呂水は発熱器６で過熱された熱伝導板８の間を通ると浄化された風呂水は暖められオーバーフロー穴１９より浴槽に流れ落ちる  又水温調整は水温感知器９と制御盤１４にて自在に制御できる。又本装置は小型家庭用で後付け出来る装置である【選択図】    図１
0003111037.tif 000002
【実用新案登録請求の範囲】
【請求項１】
浴槽内の水を小型ポンプにより循環させ 浄化装置を通過する事により常に清潔な風呂水を得られる家庭用後付け型風呂水浄化恒温装置である
【請求項２】
汲み上げられた風呂水が外部恒温タンク内の発熱器と熱伝導板のあいだを流れる事により風呂水の温度が下がらない家庭用後付け型風呂水浄化恒温装置である
【請求項３】
本装置は五右衛門風呂から現在のユニットバスまで 一般家庭で使われているすべてのタイプに対応出来又簡単に取り付け可能な家庭用後付け型風呂水浄化恒温装置である
【考案の詳細な説明】
【技術分野】
【０００１】
本考案は家庭用の浴槽水を浄化し水温の低下をさせない装置で風呂水循環に関するものである
【背景技術】
【０００２】
従来の家庭用の風呂は水面に垢や体毛が浮いたり水中に浮遊している又下部に沈殿している又入浴中の時間の経過と共に水温が低下してしまう
【考案の開示】
【考案が解決しようとする課題】
【０００３】
本考案は入浴中又入浴待ち中に水温を低下させずに風呂水を浄化します。又浄化装置のメンテナンスも簡単にした構造であらゆるタイプの風呂にも対応出来背景技術の欠点を解決しょうとしたものである
【課題を解決するための手段】
【０００４】
小型ポンプにより浴槽の水を汲み上げ浄化装置のフイターを通過する事により固形物がフイルターに付着し浴槽内に放出する構造にする
【０００５】
浄化装置は浴室内にあり簡単に開ける事が出来浄化装置内のフイルターを取り外して取り替え又は清掃出来る構造にする
【０００６】
汲み上げられた浴槽の水は外部タンクに送られタンク内の発熱器と熱伝導板の間を通過する事により汲み上げられた浴槽の水は温度が上昇し浴槽内にもどる構造にする
【０００７】
又制御盤のスイッチで発熱器の出力を強弱する事により浴槽の大きさや色々なタイプの風呂にも対応出来又季節による外気温の変化又人それぞれの好みの温度を設定できる構造にする
【０００８】
又制御盤のスイッチの切り替えにより小型ポンプのみ回転させ浄化だけの運転も可能にした構造にする
【０００９】
又制御盤のスイッチの切り替えにより寒冷地の外部タンクの水が凍結した時に発熱器だけ運転も可能にした構造にする
【００１０】
又外部タンクは浴槽より高い位置であれば設置でき普通一般の人なら簡単に取り付け可能な構造にする
【考案の効果】
【００１１】
本装置を取り付けることにより複数の人のあとで入浴しても浮遊物などで気分を害する事もなく浴槽水は清潔に保たれ気持ち良く入浴が楽しめる又冬場など外気温が低く浴水の温度低下が大きい時でもお湯の追加しなくてもよく長時間でも入浴できる。又エネルギーの節約にもなる又入浴待ち中でもお風呂の浴槽蓋をしなくても浴水温は下がらない又個人個人によって好みの水温がスイッチの操作で得られる又本装置は小型で取り付けが簡単である
【実施例１】
【００１２】
以下添付図面に従って実用新案の実施例を説明する。図１は本装置の全体図である。まず風呂水の循環装置に付いて説明する。浴槽の水は制御盤１４のスイッチを入れると小型ポンプ３が回転し吸水口１より入り逆止弁４を通り浄化装置２に送られ恒温タンク７の上部に取り付けられた小型ポンプ３から排出口５から恒温タンク内に送り込まれるその後熱伝導板８の間を通り抜けオーバーフロー穴１９より自然落下し放出口１０より浴槽内に戻る事により風呂水を循環させる
【００１３】
次ぎは、風呂水の浄化装置に付いて説明する。（図２）は浄化装置の断面図ある浴槽から送られてきた風呂水は取り入れ口１７から入りフイルター１６を通過する事により浴槽水の固形物１５がフイルター１６に付着させる事で確実に浄化する浄化された風呂水は排出口１８より送り出される
【００１４】
次ぎは風呂水の恒温装置に付いて説明する（図１）の恒温タンク７は内部の構造は発泡スチロール製で熱が外部に逃げにくい様にできていて上部が取り外せる構造にし内部の点検や清掃などのメンテナンスが容易にできるようにする
【００１５】
又（図３）は恒温タンク７の内部を上から見た図である発熱器２０と熱伝導板２１は固定されていて発熱器２０で発生させた熱エネルギーを効率よく熱伝導板２１に伝えるために熱伝導板はアルミ製でフインの形状をしていて表面積をできるだけ大きくし循環している風呂水に効率よく熱エネルギーが伝わる様にする又熱伝導板２１は仕切り板の役目も有り風呂水が蛇行して通過するようにし熱効率を高めている
【００１６】
次ぎは本装置の制御に付いて説明する（図４）は（図１４）の拡大図である（図４）の発熱器スイッチ２２をＯＮにすると発熱器６に電流が流れ発熱器６の温度が上がり熱伝導板も同じく温度上昇し恒温タンク７内の水に熱を伝える又発熱器出力調整装置２３により発熱器の強弱を無段階で調整出来るようにする又（図１）の水温感知器９によって感知した恒温タンク内の水温が一定の温度に達すると制御盤内の装置により電流が切れて過度に水温が上がらないようにする又恒温タンク７内の水量が不足していると水量検知器１１が作動し水量警報ランプ２４が点灯し発熱器６に電流を止め空焚きを防ぐ構造にする
【００１７】
又（図４）のモータースイッチ２６をＯＮにすると小型ポンプ３が回転し風呂水の循環浄化のみも行えるようにする
【００１８】
次ぎに本装置の大きさに着いて説明する（図１）の恒温タンクの容量は１５リットルから２０リツトルと小型で取り付けも簡単に出来るようにする
【産業上の利用可能性】
【００１９】
本装置は家庭用として利用のほかに水産用水槽や介護施設の移動用浴槽など用途はかなり広い
【図面の簡単な説明】
【００２０】
【図１】は家庭用後付け型風呂水浄化恒温装置の全体図である
【図２】は（図１）の浄化装置２の内部の構造を示している
【図３】は（図１）の恒温タンク７内を上から見た構造図を示している
【図４】は（図１）の制御盤１４の拡大した図を示している
【符号の説明】
【００２１】
１    吸水口
２    浄化装置
３    小型ポンプ
４    逆支弁
５    排出口
７    恒温タンク
８    熱伝導板
９    水温感知器
１０  放出口
１１  水量検知器
１２  固定金具
１３  浴槽
１４  制御盤
１５  固形物
１６  フイルター
１７  取り入れ口
１８  排出口
１９  オーバーフロー穴
２０  発熱器
２１  熱伝導板
２２  ヒータースイッチ
２３  発熱器出力調整装置
２４  水量警報ランプ
２５  ヒーターパイロットランプ
２６  モータースイッチ
２７  モーターパイロツトランプ
【図１】
0003111037.tif 000003
【図２】
0003111037.tif 000004
【図３】
0003111037.tif 000005
【図４】
0003111037.tif 000006